(57)【要約】【課題】バックライトの輝度ムラの発生を抑制できる画像表示装置及び画像表示装置の輝度ムラの抑制方法を提供する。【解決手段】画像を表示する表示パネル及び表示パネルの背面側に配置され、バックライトが取り付けられたバックシャーシを備える。バックシャーシの周縁部は表示パネルに固定されている。バックシャーシにおける中央部は、表示パネルから離反する方向にバックシャーシの背面側から引張されて支持されている。【選択図】図５
2020072063.tif 000002
【特許請求の範囲】
【請求項１】
画像を表示する表示パネル及び前記表示パネルの背面側に配置され、バックライトが取り付けられたバックシャーシを備え、
前記バックシャーシの周縁部が前記表示パネルに固定されており、
前記バックシャーシにおける中央部は、前記表示パネルから離反する方向に前記バックシャーシの背面側から引張されて支持されていることを特徴とする画像表示装置。
【請求項２】
前記表示パネルの背面側にバックカバーが取り付けられ、前記バックシャーシは、前記表示パネルと前記バックカバーの間に配置されており、
前記バックシャーシと前記バックカバーとの間に配置される補強部材に前記バックシャーシを固定する支持具が設けられている請求項１に記載の画像表示装置。
【請求項３】
前記バックシャーシにおける中央部にネジ穴が形成されており、
前記支持具は、前記補強部材に形成された開口を通して前記ネジ穴に締め付けられて前記補強部材に前記バックシャーシを固定するネジである請求項２に記載の画像表示装置。
【請求項４】
前記バックシャーシと前記バックカバーの間における左右周縁部にそれぞれ左補強部材及び右補強部材が配置されており、
前記補強部材は、前記左補強部材及び前記右補強部材の間に架け渡されている請求項２または３に記載の画像表示装置。
【請求項５】
前記補強部材の強度は、前記左補強部材及び前記右補強部材の強度と同等またはそれらの強度よりも高い請求項４に記載の画像表示装置。
【請求項６】
画像を表示する表示パネルにおける表示面を下向きに配置し、
前記表示パネルの背面側に、バックライトが取り付けられたバックシャーシを配置し、
前記バックシャーシにおける中央部を前記表示パネルから離反する方向に引張して前記バックシャーシを支持させること特徴とする画像表示装置の組み立て方法。
【発明の詳細な説明】
【技術分野】
【０００１】
本発明は、画像表示装置及び画像表示装置の組み立て方法に関する。
【背景技術】
【０００２】
従来、表示部と、表示部の背後に設けられたバックカバーを備える画像表示装置がある。表示部は、例えば、表示パネルと、表示パネルの背面に設けられたバックシャーシを備える。バックシャーシにおける表示パネル側には、例えば複数のＬＥＤが取り付けられている。ＬＥＤは、表示パネルを照らすバックライトとなる。
【０００３】
画像表示装置では、バックライトによって均等に光が照射されず、輝度ムラが生じると、画面を見にくくなる傾向がある。バックライトの輝度ムラの抑制を目的とした画像表示装置として、従来、蛍光管支持部と反射板を一体成型にて形成したバックライト装置を備える表示装置がある（例えば、特許文献１参照）。
【先行技術文献】
【特許文献】
【０００４】
【特許文献１】特開２００１−２１５４９７号公報
【発明の概要】
【発明が解決しようとする課題】
【０００５】
しかし、バックライトとしてＬＥＤを用いる場合、例えばバックシャーシにバックライトが取り付けられ、蛍光管支持部のような大きな部材は不要となる。このため、蛍光管支持部と反射板を一体成型にして形成することができず、輝度ムラの抑制ができなくなる。また、近年の軽量化等の要望により、バックシャーシの軽量化が進んでいる。バックシャーシの軽量化に伴い、バックシャーシが変形しやすくなる。バックシャーシが変形すると、バックシャーシに取り付けられたＬＥＤと表示部と間の距離が変動し、輝度ムラを助長する原因となる問題があった。特に、バックシャーシを表示部に取り付ける際には、バックシャーシが変形しやすく、輝度ムラの原因となる問題を発生させやすかった。
【０００６】
そこで、本発明が解決しようとする課題は、バックライトの輝度ムラの発生を抑制できる画像表示装置及び画像表示装置の輝度ムラの抑制方法を提供することである。
【課題を解決するための手段】
【０００７】
本発明による画像表示装置は、画像を表示する表示パネル及び前記表示パネルの背面側に配置され、バックライトが取り付けられたバックシャーシを備え、前記バックシャーシの周縁部が前記表示パネルに固定されており、前記バックシャーシにおける中央部は、前記表示パネルから離反する方向に前記バックシャーシの背面側から引張されて支持されていることを特徴とする。
【０００８】
本発明による画像表示装置の組み立て方法は画像を表示する表示パネルにおける表示面を下向きに配置し、前記表示パネルの背面側に、バックライトが取り付けられたバックシャーシを配置し、前記バックシャーシにおける中央部を前記表示パネルから離反する方向に引張して前記バックシャーシを支持させること特徴とする。
【発明の効果】
【０００９】
本発明によれば、バックライトの輝度ムラの発生を抑制できる画像表示装置及び画像表示装置の輝度ムラの抑制方法を提供することができる。
【図面の簡単な説明】
【００１０】
【図１】本発明の実施形態の画像表示装置の分解斜視図である。
【図２】表示部の側断面図である。
【図３】表示部の分解斜視図である。
【図４】画像表示装置の組み立て手順を説明する説明図である。
【図５】画像表示装置の組み立て手順の一部を説明する説明図である。
【図６】表示パネルに生じる輝度ムラの説明をするための説明図である。
【図７】補強部材を直接バックシャーシに取り付けた例の説明図である。
【発明を実施するための形態】
【００１１】
以下、本発明の実施形態による画像表示装置１について、添付図面を参照して説明する。図１は、本発明の実施形態における画像表示装置の分解図、図２は、表示装置の側断面図、図３は表示部の分解斜視図である。図１に示すように、本発明の実施形態の画像表示装置１は、表示部１０を備える。表示部１０の背面側には、左補強部材２０及び右補強部材３０が設けられ、左補強部材２０及び右補強部材３０の背面側には、補強部材４０が設けられている。補強部材４０は、左補強部材２０及び右補強部材３０の間に架け渡されている。表示部１０の背面側には、後補強部材５０が設けられ、後補強部材５０の背面にバックカバー６０が取り付けられている。
【００１２】
表示部１０の表面側には、図２及び図３に示すように、表示パネル１１が設けられている。表示パネル１１は、正面視した形状が矩形状に形成されている。表示パネル１１の前面には、画像を表示する表示面が設けられている。表示パネル１１は、例えば液晶ディスプレイパネルや有機ＥＬディスプレイパネル、任意であってよい。
【００１３】
表示パネル１１の背面側には、バックシャーシ１２が設けられている。バックシャーシ１２は、表示パネル１１と同様に、正面視した形状が矩形状に形成されている。バックシャーシ１２の周縁部は、例えば図示しないサイドベゼル等により、表示パネル１１に周縁部に取り付けられて固定されている。バックシャーシ１２の表示パネル１１側の面には、図３に示すように、複数のバックライト１３が取り付けられている。バックライト１３は、例えばＬＥＤからなり、バックシャーシ１２におけるその厚さ方向から見た平面視で上下左右に均等に配置されている。バックライト１３は、表示パネル１１に光を照射し、表示部１０に画像を表示する際のバックライトとなる。表示パネル１１の高さ方向の中央であって幅方向の中央位置には、締結部１４が設けられている。締結部１４は、バックシャーシ１２の背面から後方に向けて盛り上がる形状をなしている。締結部１４が盛り上がる形状をなすことにより、バックシャーシ１２の背面から離間した位置で補強部材４０と締結可能となっている。締結部１４には、バックシャーシ１２を貫通する方向を向いたネジ穴が設けられている。
【００１４】
左補強部材２０及び右補強部材３０は、いずれも正面視した形状が縦長の棒状の部材である。左補強部材２０及び右補強部材３０の高さは、表示部１０の高さよりもわずかに短い長さである。左補強部材２０及び右補強部材３０は、互いに対称となる形状をなしている。左補強部材２０は、表示部１０の左縁辺に沿って配置され、右補強部材３０は、表示部１０の右縁辺に沿って配置されている。
【００１５】
補強部材４０は、正面視した形状が横長の棒状の部材である。補強部材４０の長さは、左補強部材２０と右補強部材３０の間の幅よりも長く、補強部材４０は、左補強部材２０及び右補強部材３０の間に架け渡されている。補強部材４０は、架渡部４１を備えており、架渡部４１の左右両端には、左補強部材２０及び右補強部材３０の縁部にそれぞれ沿う左折曲部４２及び右折曲部４３が設けられている。
【００１６】
架渡部４１の長さは、左補強部材２０及び右補強部材３０の間の幅と略同一とされている。補強部材４０の強度は、左補強部材２０及び右補強部材３０のそれぞれの強度と同等またはそれらの強度よりも高い強度である。なお、補強部材４０の強度は、左補強部材２０及び右補強部材３０のそれぞれの強度より低くてもよい。架渡部４１の長手方向略中央位置には、開口である穴部４４が設けられている。穴部４４は、バックシャーシ１２に設けられた締結部１４に設けられたネジ穴と略同形の貫通穴である。穴部４４は、締結部１４に向かい合う位置に配置されている。穴部４４には、締結部１４に締め付けられるネジ７０（図５参照）が貫通している。穴部４４を貫通するネジ７０が締結部１４に締め付けられることにより、締結部１４の頂部が補強部材４０に当接し、バックシャーシ１２は、補強部材４０に締結される。
【００１７】
後補強部材５０は、正面視した形状が表示部１０よりも一回り小さい矩形状をなす部材である。後補強部材５０は、左補強部材２０及び右補強部材３０にそれぞれ取り付けられて、表示パネル１１におけるバックシャーシ１２の背面側の中央部分を覆っている。後補強部材５０は、補強部材４０を全体的に覆っている。
【００１８】
バックカバー６０は、表示部１０に対応する平面視矩形状に形成されている。バックカバー６０は、表示部１０における表示パネル１１の背面側に配置され、バックシャーシ１２は、表示パネル１１とバックカバー６０の間に配置されている。また、補強部材４０は、バックシャーシ１２とバックカバー６０との間に配置されている。また、左補強部材２０及び右補強部材３０は、バックシャーシ１２とバックカバー６０との間における左右周縁部にそれぞれ配置されている。
【００１９】
バックカバー６０は、表示部１０の表示パネル１１とバックカバー６０との間に設けられる各部品を覆ってこれらを保護する。表示パネル１１とバックカバー６０との間に設けられる各部品には、例えば、各補強部材のほか、表示部１０に設けられたＬＥＤなどの電気部品及びこれらの電気部品等を相互に電気接続する電気配線などが含まれる。
【００２０】
補強部材４０における穴部４４には、ネジ７０が挿入され、表示部１０のバックシャーシ１２における締結部１４に設けられたネジ穴にねじ込まれている。バックシャーシ１２における中央部は、ネジ７０によって表示部１０から離反する方向にバックシャーシ１２の背面側から引張し補強部材４０に固定されて支持される。ネジ７０は、バックシャーシ１２を支持する支持具である。
【００２１】
次に、画像表示装置１の組み立て手順について説明する。図４は、画像表示装置１の組み立て手順を説明する説明図である。図４（Ａ）に示すように、表示パネル１１（図２参照）の表示面を下向きに配置し、バックシャーシ１２（図２参照）が上側に位置するように、表示部１０を載置する。なお、表示パネル１１の表示面を下向きに配置することで、表示部１０の背面側は上方側となる。
【００２２】
表示部１０における表示パネル１１の背面（裏面）側に配置されたバックシャーシ１２には、多数のネジ穴や貫通穴が設けられており、これらのネジ穴や貫通穴を利用してバックシャーシ１２に電気部品が取り付けられる。このため、バックシャーシ１２を上側に配置し、表示パネル１１を下側に配置して表示パネル１１を載置する。バックシャーシ１２は、軽量であることから、図５に破線で示すように、自重により中央部が下方に沈むように湾曲する。
【００２３】
次に、図４（Ｂ）に示すように、表示部１０の背面側におけるバックシャーシ１２に左補強部材２０及び右補強部材３０を取り付ける。左補強部材２０及び右補強部材３０は、例えば図示しないネジなどによってバックシャーシ１２に取り付けられる。バックシャーシ１２は、左補強部材２０及び右補強部材３０を取り付けた状態で中央部分が上方を向いて露出している。
【００２４】
続いて、図５に示すように、左補強部材２０及び右補強部材３０の間に補強部材４０を架け渡す。図５に示すように、補強部材４０を架け渡す際には、補強部材４０の左折曲部４２を固定し、右補強部材３０に補強部材４０の右折曲部４３を固定する。左補強部材２０及び右補強部材３０の背面は、バックシャーシ１２の背面と離間している。このため、補強部材４０の左折曲部４２及び右折曲部４３をそれぞれ左補強部材２０及び右補強部材３０に固定することにより、補強部材４０の架渡部４１をバックシャーシ１２に近接した位置に配置できる。このとき、架渡部４１に設けられた穴部４４がバックシャーシ１２に設けられた締結部１４に向かい合うように補強部材４０を配置する。
【００２５】
それから、補強部材４０の架渡部４１に設けられた穴部４４にネジ７０を貫通させるとともに、ネジ７０をバックシャーシ１２における締結部１４に設けられたネジ穴にねじ込んで締め付ける。このとき、バックシャーシ１２は、中央部が下方に沈んでいることがある。バックシャーシ１２の中央部が下方に沈んでいる場合、ネジ７０を締結部１４にねじ込んで締め付けることにより、補強部材４０が突っ張り、図５に実線で示すように、バックシャーシ１２における中央部を、表示パネル１１から離反する方向にバックシャーシ１２の背面側から引張する。その結果、バックシャーシ１２の中央部が上方（バックシャーシ１２の背面側）に引っ張られてバックシャーシ１２の湾曲が解消する。こうして、ネジ７０にバックシャーシ１２を補強部材４０に締結させて支持させる。このとき、補強部材４０の締結面を例えば０ｍｍを超えた値から３ｍｍの間の長さを引き上げることにより、部品の公差や補強部材４０がバックシャーシ１２に引き込まれてバックシャーシ１２を引き上げにくくすることを抑制できる。
【００２６】
ここで、補強部材４０としては、強度の高い部材、例えば左補強部材２０及び右補強部材３０の強度と同等またはそれらの強度よりも高い強度の部材を用いている。補強部材４０が高い強度を発現することにより、ネジ７０を締め付けてバックシャーシ１２を支持する際に補強部材４０がバックシャーシ１２に引き込まれることを抑制することができる。
【００２７】
続いて、図４（Ｃ）に示すように、左補強部材２０及び右補強部材３０の背面側に後補強部材５０を取り付ける。後補強部材５０を取り付けることにより、補強部材４０は、後補強部材５０に覆われて見えなくなる。その一方で、左補強部材２０及び右補強部材３０は、後補強部材５０の側方から露出した状態となっている。後補強部材５０として、補強部材４０よりも強度の高い部品を用いることにより、補強部材４０の強度を補強するようにしてもよい。
【００２８】
そして、図４（Ｄ）に示すように、後補強部材５０の背面側にバックカバー６０を取り付ける。バックカバー６０を取り付けることにより、後補強部材５０は、バックカバー６０に覆われて見えなくなる。その一方で、左補強部材２０及び右補強部材３０は、バックカバー６０の側方から露出した状態となっている。こうして、画像表示装置１の組み立てが終了する。
【００２９】
画像表示装置１の組み立て作業を行う際、表示部１０を載置した状態では、バックシャーシ１２が自重により下方に沈んで湾曲した状態となっていることがある。バックシャーシ１２が湾曲した状態で画像表示装置１が組み立てられると、バックシャーシ１２に取り付けられた複数のバックライト１３と表示パネル１１との距離が不均一となり、輝度ムラの原因となりえる。
【００３０】
例えば、図６（Ａ）（Ｂ）に破線で示すように、バックシャーシ１２が湾曲していない場合、表示パネル１１から近い側のバックライト１３と遠い側のバックライト１３から照射され、表示面にあたる光Ｌの面積は規定の関係となる。このため、各バックライト１３から照射された光Ｌを表示パネル１１に均等に照射することができ、表示パネル１１の輝度を均一にできる。
【００３１】
これに対して、バックシャーシ１２が湾曲すると、図６（Ａ）（Ｂ）に実線で示すように、表示パネル１１に近い側のバックライト１３が発する光の面積が減少し、輝度が暗くなる範囲が大きくなってしまう。この点、本発明の実施形態では、バックシャーシ１２の湾曲を解消させて画像表示装置１を組み立てている。このため、表示パネル１１とバックライト１３との距離関係を規定の関係にできるので、輝度ムラを抑制することができる。
【００３２】
また、例えば図７（Ａ）に示すように、補強部材４０における架渡部４１のような棒状をなす棒状補強部材９０を直接バックシャーシ１２に固定して、バックシャーシ１２における中央部を表示パネル１１から離反する方向に引張することも考えられる。しかし、棒状補強部材９０がバックシャーシ１２の左右幅より短いと、図７（Ｂ）に示すように、バックシャーシ１２における棒状補強部材９０と当接する範囲は湾曲が解消されるが、その外側の部分の湾曲は解消されなくなる。また、例えばバックシャーシ１２と同等の幅の長さを有する棒状補強部材を用いると、表示部１０の重量の増加の要因となりえるとともに、構造的なスペースの確保が必要となる。
【００３３】
この点、上記の画像表示装置１では、バックシャーシ１２は、左補強部材２０及び右補強部材３０に架け渡された補強部材４０によって中央部を表示パネル１１から離反する方向に引張されている。このため、バックシャーシ１２の前面にわたって湾曲を解消することができる。したがって、バックシャーシ１２の前面にわたって表示パネル１１とバックライト１３との距離関係を規定の関係とし、輝度ムラを抑制することができる。また、補強部材４０の長さはバックシャーシ１２の幅よりも短いので、表示部１０の軽量化に寄与でき、スペースの確保も容易となる。
【００３４】
このように、本発明の実施形態に係る画像表示装置１では、バックシャーシ１２における中央部は、表示パネル１１から離反する方向にバックシャーシ１２の背面側から引張されて支持されている。このため、バックシャーシ１２の湾曲を抑制して、バックシャーシ１２の表示パネル１１側の面を平坦にすることができる。したがって、バックシャーシ１２の表示パネル１１側の面に取り付けられたバックライト１３と、表示パネル１１との距離を規定の距離から外れることを抑制できるので、表示部１０の輝度ムラを抑制することができる。
【００３５】
また、バックシャーシ１２は、補強部材４０に設けられた穴部４４を貫通するネジ７０によって表示パネル１１から離反する方向に引張され、補強部材４０に支持されている。このため、ネジ７０を締め付けるだけでバックシャーシ１２を容易に引張できるとともに、補強部材４０によって確実にバックシャーシ１２を支持することができる。
【００３６】
また、補強部材４０は、左補強部材２０及び右補強部材３０の間に架け渡されている。このため、補強部材４０は、バックシャーシ１２から背面側に離間した位置でバックシャーシ１２を支持する。したがって、バックシャーシ１２の中央部を支持するだけで、バックシャーシ１２を全面にわたって湾曲を抑制し、輝度ムラを抑制することができる。
【００３７】
また、補強部材４０の強度は、左補強部材２０及び右補強部材３０の強度と同等またはそれらの強度よりも高くされている。このため、ネジ７０を締め付けてバックシャーシ１２を支持する際に補強部材４０がバックシャーシ１２に引き込まれることを抑制することができる。また、後補強部材５０として補強部材４０の強度よりも強度の高い部材を用いることで、補強部材４０がバックシャーシ１２に引き込まれることをより確実に抑制することができる。
【００３８】
以上、本発明の実施の形態について図面を参照して詳述したが、具体的な構成はこの実施の形態に限られるものではなく、本発明の要旨を逸脱しない範囲の設計変更等も含まれる。補強部材４０は、左補強部材２０及び右補強部材３０に架け渡されているが、後補強部材５０に取り付けられて支持されていてもよい。また、補強部材４０を設けることなく、後補強部材５０でバックシャーシ１２を支持してもよい。また、バックシャーシ１２における補強部材４０と締結される締結部１４は１つであるが、締結部が複数設けられていてもよい。締結部が複数設けられる場合に、複数の締結部は、上下方向に離間して配置されていてもよいし、左右方向に離間して配置されていてもよい。また、複数の締結部は、均等幅を持って配置されてもよいし、所定の割合の幅をもって配置されてもよい。また、不均一に配置されていてもよい。
【符号の説明】
【００３９】
１…画像表示装置
１０…表示部
１１…表示パネル
１２…バックシャーシ
１３…バックライト
１４…締結部
２０…左補強部材
３０…右補強部材
４０…補強部材
４１…架渡部
４２…左折曲部
４３…右折曲部
４４…穴部
５０…後補強部材
６０…バックカバー
７０…ネジ
Ｌ…光
【図１】
2020072063.tif 000003
【図２】
2020072063.tif 000004
【図３】
2020072063.tif 000005
【図４】
2020072063.tif 000006
【図５】
2020072063.tif 000007
【図６】
2020072063.tif 000008
【図７】
2020072063.tif 000009